(57)【要約】      （修正有）【課題】プルスイッチを操作するのに好適な、プルスイッチ操作補助具を提供する。【解決手段】プルスイッチ操作補助具は、第１の表面部１２と、第２の表面部１４と、連結部１６と、で囲まれた空間を有し、第１の表面部１２と第２の表面部１４との間の最も狭い部分の水平方向の間隔ａが、水平方向におけるプルスイッチ４０のスイッチ紐４２の直径ｂより大きい先端部１０と、第１の表面部１２と略同一面をなす導入面２２と屈曲部２３とを有する導入部２０と、前記第１の表面部１２の面内方向に対して、所定の角度傾いた長手方向を有する柄部と、を備える。【選択図】図２
0003215421.tif 000002
【実用新案登録請求の範囲】
【請求項１】
鉛直方向と略平行な第１の表面部と、前記第１の表面部と対向する第２の表面部と、前記第１の表面部と前記第２の表面部とを連結する連結部と、で囲まれた、鉛直方向に延伸する空間を有し、前記第１の表面部と前記第２の表面部との間の最も狭い部分の水平方向の間隔が、水平方向におけるプルスイッチのスイッチ紐の直径より大きい、先端部と、前記先端部と結合する一方の端部では、前記第１の表面部と略同一面をなす導入面を有し、他方の端部では屈曲部を有する、導入部と、前記導入部の他端で前記導入部と繋がっており、前記第１の表面部の面内方向に対して、所定の角度傾いた長手方向を有する、柄部と、を備えるプルスイッチ操作補助具。
【考案の詳細な説明】
【技術分野】
【０００１】
本考案は、プルスイッチ操作補助具に係るものである。
【背景技術】
【０００２】
リモコンで操作する天井照明器具が普及してきているが、プルスイッチで点灯・消灯を操作する天井照明器具も、まだ数多く使用されている。プルスイッチのスイッチ紐は、下端に取り付けられた紐ボタンによって、鉛直方向に垂れ下がっている。（例えば、特許文献１）
【先行技術文献】
【特許文献】
【０００３】
特開２００１−３１９５４６号公報
【考案の概要】
【考案が解決しようとする課題】
【０００４】
立ち上がる動作に身体的な負担を感じる使用者にとっては、プルスイッチを有する天井照明器具に変更を加えずに、寝たままの状態で、または座ったままの状態で、プルスイッチを操作できる操作補助具が提供されることが望ましい。
【０００５】
プルスイッチのスイッチ紐および紐ボタンは、鉛直方向に垂れ下がった状態にあるため、水平方向から力が働くと、容易に揺れたり位置を変えたりする。プルスイッチ操作補助具は、簡単な操作によって、このようなプルスイッチのスイッチ紐および紐ボタンに引っかけることができる操作補助具でなければならない。
【０００６】
本考案は、プルスイッチのスイッチ紐および紐ボタンにひっかけて、プルスイッチを操作するのに好適な、プルスイッチ操作補助具を提供することを目的とする。
【課題を解決するための手段】
【０００７】
請求項１に記載の考案では、鉛直方向と略平行な第１の表面部と、前記第１の表面部と対向する第２の表面部と、前記第１の表面部と前記第２の表面部とを連結する連結部と、で囲まれた、鉛直方向に延伸する空間を有し、前記第１の表面部と前記第２の表面部との間の最も狭い部分の水平方向の間隔が、水平方向におけるプルスイッチのスイッチ紐の直径より大きい、先端部と、前記先端部と結合する一方の端部では、前記第１の表面部と略同一面をなす導入面を有し、他方の端部では屈曲部を有する、導入部と、前記導入部の他端で前記導入部と繋がっており、前記第１の表面部の面内方向に対して、所定の角度傾いた長手方向を有する、柄部と、を備えるプルスイッチ操作補助具を提供する。
【考案の効果】
【０００８】
本考案のプルスイッチ操作補助具を用いることにより、立ち上がる動作に身体的な負担を感じる使用者であっても、寝たままの状態で、または座ったままの状態で容易に、例えば天井照明器具のプルスイッチを操作できる。
【図面の簡単な説明】
【０００９】
【図１】実施形態に係るプルスイッチ操作補助具の概略構成を示す図である。
【図２】先端部および導入部の構成を示す斜視拡大図である。
【図３】先端部および導入部の変形例を示す斜視拡大図である。
【図４】プルスイッチ操作補助具の使用方法の例を示す図である。
【考案を実施するための形態】
【００１０】
本考案に係るプルスイッチ操作補助具の好適な実施の形態について、図１から図４までの図を参照して詳細に説明する。
【００１１】
図１は、実施形態に係るプルスイッチ操作補助具１の概略構成を示す図である。プルスイッチ操作補助具１は、先端部１０と、導入部２０と、柄部３０との３つの部分から構成される。これらのうち、先端部１０および導入部２０は、プルスイッチ操作補助具１を、プルスイッチのスイッチ紐および紐ボタンに引っかけるための構造を有する。その詳細については、後程説明する。
【００１２】
柄部３０は、プルスイッチ操作補助具１を使用するときに、使用者が保持する部分である。柄部３０は、内棒３２と外管３４から構成される棒状の部材である。内棒３２は、外管３４の長手方向に挿入される。柄部３０は、内棒３２を外管３４に挿入する深さを変えることによって、柄部３０の全体の長さを調整することができる。また、柄部３０は、所定の挿入深さで、内棒３２を外管３４に固定する留め具３６を有する。
【００１３】
柄部３０は、留め具３６と反対側の端部に、握り具３８を有する。握り具３８は、外管３４の一部を太くして、表面に滑りにくい加工を施した部分である。使用者は、握り具３８の部分を掴んで、プルスイッチ操作補助具１を使用する。
【００１４】
柄部３０を構成する内棒３２は、先端部１０および導入部２０と繋がっている。プルスイッチ操作補助具１は、使用者が握り具３８を掴んだときに、使用者から、おおよそ柄部３０の長さだけ離れた位置に、先端部１０および導入部２０を有する。
【００１５】
図２は、柄部３０と繋がる、先端部１０および導入部２０の構成を示す斜視拡大図である。また、図２には、先端部１０および導入部２０が引っかけるプルスイッチ４０のスイッチ紐４２および紐ボタン４４も記載した。図２は、プルスイッチ操作補助具１がプルスイッチ４０を操作するときの配置に合わせて、先端部１０および導入部２０の構成を示す。スイッチ紐４２が垂れ下がっている鉛直方向をＺ軸方向、鉛直方向と直交する水平方向をＸＹ面内方向として、先端部１０および導入部２０の構成を示す。
【００１６】
図２に示す先端部１０は、鉛直方向と略平行な第１の表面部１２、第１の表面部１２と対向する第２の表面部１４、および、第１の表面部１２と第２の表面部１４とを連結する連結部１６とを有する、円錐台状の部材である。先端部１０は、先端部１０の内側に、第１の表面部１２と、第２の表面部１４と、連結部１６とで囲まれた、鉛直方向に延伸した空間を有する。
【００１７】
前記空間をはさんで、第１の表面部１２と第２の表面部１４との間隔が最も狭くなっている部分の水平方向の間隔ａは、スイッチ紐４２の水平方向の直径ｂより大きく、紐ボタン４４の直径ｃより小さい。但し、スイッチ紐４２の直径ｂは、紐ボタン４４の直径ｃより小さいものとする。
【００１８】
このときスイッチ紐４２は、鉛直方向に垂れ下がっている状態を維持したまま、水平方向（図２の例では略−Ｙ方向）に移動されれば、第１の表面部１２と第２の表面部１４との間を、間隙部分に引っかかることなく通過できる。スイッチ紐４２は、第１の表面部１２と第２の表面部１４との間の間隙と同じ方向（鉛直方向）に延伸しており、スイッチ紐４２の直径ｂは、間隙の水平方向の間隔ａより小さいからである。
【００１９】
導入部２０は、一方の端部で先端部１０と結合する、四角柱形状の部材である。導入部２０は、先端部１０の第１の表面部１２と略同一な面をなす導入面２２を有する。図２の例では、導入部２０は、Ｙ軸方向に長手方向を有する四角柱の側面の一つである導入面２２が、先端部１０の第１の表面部１２と略同一な面をなすように、先端部１０と結合されている。
【００２０】
導入部２０は、先端部１０と結合する側とは反対側に屈曲部２３を有する。導入部２０は、屈曲部２３において、ＹＺ面内で略直角に曲がっている。即ち、図２に示すように、導入部２０の長手方向は、屈折部２３において、＋Y方向から−Z方向に略９０度方向が変わっている。さらに導入部２０は、屈曲部２３において、＋Ｙ方向に向かって反時計回りに、所定の角度
θねじれている。角度θは、例えば３０°である。これにより導入部２０と繋がる柄部３０は、YZ面と平行な平面である先端部１０の第１の表面部１２や、それと略同一面をなす導入部２０の導入面２２に対して、角度θ傾いた方向に延伸することになる。
【００２１】
使用者は、柄部３０の端の握り具３８の部分を掴んで（図１参照）、柄部３０の長手方向が、鉛直上方向（＋Ｚ方向）から使用者の前方に向かって略角度θ傾くように、プルスイッチ操作補助具１を保持する。このとき先端部１０の第１の表面部１２や、それと略同一面をなす導入部２０の導入面２２は、鉛直方向と略平行となる。即ち、先端部１０および導入部２０は、図２に示す配置状態になる。
【００２２】
このときスイッチ紐４２は、鉛直方向に垂れ下がっている状態を維持したまま、導入面２２と接触しながら水平方向に移動されれば、先端部１０の外周部分に引っかかることなく、先端部１０の内側の第１の表面部１２の位置にまで移動できる。
【００２３】
尚、導入面２２は、必ずしも図２に示すような四角柱の側面である必要はない。導入部２０は、例えば、先端部１０との結合部分の近くで、Ｙ軸方向に長手方向を有する円柱状の部材であってもよい。この場合、導入面２２は、鉛直方向と平行であって、円柱の側面に接する接平面である。この接平面が、先端部１０の第１の表面部１２と略同一面である場合、スイッチ紐４２は、当該接平面に接触して垂れ下がっている状態で水平方向に移動されれば、先端部１０の外周部分に引っかかることなく、先端部１０の第１の表面部１２の位置にまで移動できる。
【００２４】
図３は、プルスイッチ操作補助具１の先端部１０および導入部２０の変形例を示す斜視拡大図である。図３は、先端部１０と導入部２０とが別の部材に分かれていないで、一つの先端導入部５０を形成している例を示す。先端導入部５０は、図３において、実線で示す部分である。図２の先端部１０および導入部２０の各部分と対応する先端導入部５０の各部分には、図２と同一の符号を付した。
【００２５】
先端導入部５０は、細長い棒状の金属を、図３に示すように湾曲させた形状を有する部材である。第１の表面部１２は、図３では、破線で示さている金属棒の側面の一部、または側面の一部に接する接平面が対応する。第２の表面部１４は、破線で示されている第１の表面部１２と対向する、金属棒の端面部分が対応する。連結部１６は、第１の表面部１２と第２の表面部１４との間で、金属棒が湾曲している部分が対応する。また、導入面２２は、第１の表面部１２と繋がる、金属棒の側面部分、または側面部分と接する接平面が対応する。更に、屈曲部２３は、図２の屈曲部２３と同様な角度に金属棒が曲げられている部分が対応する。
【００２６】
図３で、点線で示された円錐台形状の部材（符号５２の部材）は、先端導入部５０が、外部にむき出しにならないようにするためのカバー５２である。図３に示す先端導入部５０は、細長い棒状の金属を曲げて形成されているため、金属棒の先端に手指が直接触れないようにするために、また、湾曲した金属棒の先端を衣類などにひっかけないようにするために、先端導入部５０は、図３に例示するようなカバー５２で覆われている。
【００２７】
図３の先端導入部５０の第１の表面部１２、第２の表面部１４、導入面２２、および屈曲部２３は、それぞれ同じ符号で示されている図２の対応する部分と、同じ面方向、同じ軸方向等を有する関係にある。即ち、図３の変形例においても、スイッチ紐４２は、鉛直方向に垂れ下がっている状態を維持したまま、導入面２２と接触しながら水平方向に移動されれば、カバー５２に引っかかることなく、第１の表面部１２の位置にまで移動できる。スイッチ紐４２は、さらに、第１の表面部１２と接触しながら水平方向に移動されれば、カバー５２に引っかかることなく、第１の表面部１２と第２の表面部１４との間の間隙を通過して、連結部１６で囲まれた空間の位置まで到達できる。
【００２８】
図４は、プルスイッチ操作補助具１の使用方法の例を示す図である。図４（Ａ）は、プルスイッチ操作補助具１を、プルスイッチ４０のスイッチ紐４２および紐ボタン４４にひっかける前の状態を示す。図４（Ｂ）は、プルスイッチ操作補助具１をプルスイッチ４０にひっかけて、プルスイッチ４０を操作するときのプルスイッチ操作補助具１の状態を示す。図１および図２と対応する部分には、同じ符号を付して、重複する説明を省略する。
【００２９】
図２で既に説明したように、プルスイッチ操作補助具１は、屈曲部２３において、その長手方向が略直角に曲がり、かつ角度θねじれている。使用者は、握り具３８を掴んでプルスイッチ操作補助具１を斜め上方に差し出すように保持する。
【００３０】
このとき、先端部１０は、握り具３８の位置から、おおまかには、使用者の前方に（柄部３０の長さ）×ｓｉｎθ、使用者の上方に略（柄部３０の長さ）×ｃｏｓθだけ離れた位置に配置される。一例として、柄部３０の長さが２ｍ、角度θが３０°の場合、先端部１０は、握り具３８の位置から、使用者の前方１ｍ、上方１．７ｍの位置に配置される。
【００３１】
図４（Ａ）に示すように、使用者は、鉛直方向に垂れ下がっているスイッチ紐４２の側面を、略直角に曲がってねじれている屈曲部２３の内側、即ち導入面２２（図２参照）側に接触させるように、プルスイッチ操作補助具１を操作する。この操作は、屈曲部２３の湾曲形状を利用して、鉛直方向に垂れ下がっているスイッチ紐４２を、水平方向からすくい取るような操作である。使用者は、容易かつ確実に、スイッチ紐４２が屈曲部２３の導入面２２側に接触する状態を実現することができる。
【００３２】
この状態から使用者は、プルスイッチ操作補助具１を、水平方向に移動させる。スイッチ紐４２が屈曲部２３の導入面２２側にすくい取られているような状態にあるため、使用者は、スイッチ紐４２がプルスイッチ操作補助具１に接触している状態を維持したまま、プルスイッチ操作補助具１を水平方向に移動させることができる。また、使用者は、スイッチ紐４２がプルスイッチ操作補助具１に接触している状態を維持したまま、プルスイッチ操作補助具１を差し出す角度を微調整することもできる。これらにより、使用者は、スイッチ紐４２が、導入部２０の導入面２２に接触して垂れ下がっている位置にまでプルスイッチ操作補助具１を移動させる。
【００３３】
更に、使用者は、スイッチ紐４２が導入面２２および第１の表面部１２に接触している状態を維持しながら、プルスイッチ操作補助具１を水平方向に移動させる。図２で説明したように、スイッチ紐４２は、鉛直方向に垂れ下がった状態で、第１の表面部１２と第２の表面部１４との間の間隙を通過して、連結部１６で囲まれた空間の位置にまで到達する。
【００３４】
図４（Ｂ）は、スイッチ紐４２が、連結部１６で囲まれた空間に到達した状態を示す。連結部１６で囲まれた空間の水平方向に最も狭い部分の直径は、紐ボタン４４の直径ｃより小さいため、使用者は、この状態でプルスイッチ操作補助具１を鉛直下向きに引っ張れば、紐ボタン４４が当該空間の最も狭い部分の縁に引っかかり、プルスイッチ４０を操作することができる。
【００３５】
また、プルスイッチ４０の操作が終わった後、プルスイッチ操作補助具１の使用者は、第１の表面部１２と第２の表面部１４との間の間隙を通して、スイッチ紐４２をプルスイッチ操作補助具１から抜き出すことができる。プルスイッチ４０の操作が終わったときには、スイッチ紐４２は、連結部１６で囲まれた狭い空間を通って垂れ下がっている状態にあるため、使用者は、プルスイッチ操作補助具１を、鉛直上向きに持ち上げながら水平方向に移動させれば、プルスイッチ４０からプルスイッチ操作補助具１を容易に取り外すことができる。
【００３６】
図４は、プルスイッチ操作補助具１で、プルスイッチ４０を操作する操作方法について説明した。図２および図３に示すプルスイッチ操作補助具１は、その特徴的な構造を利用して、プルスイッチ４０とは異なる型のスイッチを操作するのに使用することもできる。例えば、使用者は、押してON／OFFを切り換えるプッシュスイッチを、円錐台形状を有するプルスイッチ操作補助具の１の先端部１０（図２参照）またはカバー５２（図３参照）の先端で押して操作することができる。これにより使用者は、プルスイッチ操作補助具１を使って、押してON／OFFを切り換えるプッシュスイッチを、離れた位置から操作することも可能である。
【００３７】
以上、本考案の実施形態をプルスイッチ操作補助具１の例を用いて説明したが、本考案の技術的範囲は、上記実施の形態に記載された例には限定されない。本考案の技術的範囲の中で、実施の形態に様々な変更または改良を加えることが可能であることが当業者に明らかである。その様な変更または改良を加えた形態も本考案の技術的範囲に含まれる。
【符号の説明】
【００３８】
１…プルスイッチ操作補助具、１０…先端部、１２…第１の表面部、１４…第２の表面部、１６…連結部、２０…導入部、２２…導入面、２３…屈曲部、３０…柄部、３２…内棒、３４…外管、３６…留め具、３８…握り具、４０…プルスイッチ、４２…スイッチ紐、４４…紐ボタン、５０…先端導入部、５２…カバー
【図１】
0003215421.tif 000003
【図２】
0003215421.tif 000004
【図３】
0003215421.tif 000005
【図４】
0003215421.tif 000006